(57)【特許請求の範囲】
【請求項１】
容器本体に上蓋を開閉自在に取り付け、化粧料を収納できる凹部を容器本体内に形成し、この容器本体内に収納した化粧料の上面にメッシュ部材を載置し、このメッシュ部材をパフで押圧して化粧料をメッシュ部材の表面に透過させる化粧料容器において、
メッシュ部材はメッシュ枠体にメッシュを張設することにより構成し、このメッシュ枠体に弾性変形可能なリップ部材を取り付け、このリップ部材で前記容器本体の内周壁をシールし、かつメッシュ部材上面に載置した前記パフをつぶすことなく、化粧料満量時から、化粧料少量時に至るまで常にパフを上蓋に押し付け可能にしたことを特徴とする化粧料容器。
【請求項２】
前記リップ部材として、スポンジ、不織布等の弾性体を取り付け、その弾性体外周をメッシュ枠体よりも外側に張り出させることにより、容器本体の内周壁に接触させたことを特徴とする請求項１記載の化粧料容器。
【請求項３】
前記リップ部材の内周をスリット状に開口し、その断面を扁平にして扁平環状体となし、この扁平環状体の下辺をメッシュ枠体に取り付け、その外周を容器本体の内周壁に接触させ，扁平環状体の上辺をメッシュ枠体の上方に浮かせたことを特徴とする請求項１記載の化粧料容器。
【請求項４】
前記リップ部材の断面を内周から中央部にかけて湾曲状に形成し、リップ部材の内周をメッシュ枠体に取り付け、その外周を斜め上方に延伸させて容器本体の内周壁に接触させ，リップ部材の湾曲状の中央部をメッシュ枠体の上方に浮かせたことを特徴とする請求項１記載の化粧料容器。
【請求項５】
前記リップ部材の断面を上向き凹状に形成し、その中央部に下方に突出する中央突片を備え、この中央突片をメッシュ枠体に取り付け、リップ部材の外周を容器本体の内周壁に接触させ、その内周をメッシュ枠体の上方に浮かせたことを特徴とする請求項１記載の化粧料容器。
【請求項６】
前記リップ部材の内周をメッシュ枠体に取り付け、このリップ部材の外周に容器本体の内周壁に接触するシール部材を取り付け、メッシュ枠体の上面にはパフを上蓋に押し付ける押付け部材を設置したことを特徴とする請求項１記載の化粧料容器。
【発明の詳細な説明】
【０００１】
【発明の属する技術分野】
本発明は化粧料を収納する化粧料容器に係り、さらに詳しくは化粧料が容器の外に漏れ出ないように構成した化粧料容器である。
【０００２】
【従来の技術】
図９は、従来の化粧料容器の断面図である。
主としてファンデーションのような化粧料を収納するコンパクト等の化粧料容器は、粉末状やペースト状の化粧料５０を収納した中皿５１と、この中皿５１内に配設したメッシュ部材５２を備えており、このメッシュ部材５２は、リング状のメッシュ枠体５２ａ内にメッシュ５２ｂを張設したものであり、化粧料５０の表面に載置される状態で納められている。
【０００３】
このメッシュ部材５２においては、メッシュ枠体５２ａと中皿５１の内周壁５１ａとの間に隙間Ｓが存在し、メッシュ部材５２は化粧料５０の表面に載っているだけなので、携帯時に化粧料容器が傾斜したり反転したりすると、中身の化粧料５０が隙間Ｓから外に漏れ出てしまうという問題があった。
【０００４】
また、化粧料５０を化粧料容器からパフで取出そうとする際には、パフでメッシュ５２ｂを押圧しながらメッシュ５２ｂの表面側に化粧料５０を透過させることになるが、このとき、メッシュ部材５２が下方に移動するため前記同様化粧料５０が隙間Ｓから外に漏れ出てしまうという問題があった。
この問題を解消するために、メッシュ部材のメッシュ枠体をシール材に取り替えたメッシュ部材が提案されている（実公平６−１０９０２号公報）。
【０００５】
【発明が解決しようとする課題】
しかし、上記の実公平６−１０９０２号公報に開示されたメッシュ部材は、メッシュ枠体そのものを柔らかい弾性素材で構成するものであるため、メッシュを押圧するとメッシュの緊張状態が弛んでしまい、メッシュの緊張状態を保持することができなくなる。
【０００６】
すなわち、シール部材を兼ねたメッシュ枠体が撓むため、容器本体の内周壁に均一に接触できなくなり、結果的にシール部材で容器本体の内周壁を均一にシールすることができなくなる。このことは、メッシュを押圧しない状態下においても同様に不都合となっていた。
【０００７】
また、化粧料が少なくなってメッシュ部材が中皿の底部側に下がってくると、メッシュ部材と化粧料容器の上蓋との間隔が大きくなるため、メッシュ部材と化粧料容器の上蓋との間に載置してあるパフも下動するため、パフでメッシュ部材を押さえ付けることができなくなる。したがって、携帯時などにメッシュ部材及びパフがガタつき、シール部材と容器本体の内周壁との間の隙間、あるいはシール部材とパフとの間の隙間から化粧料が漏れ出すという問題があった。
【０００８】
さらに、上記のものは化粧料が少なくなった時のガタつきをなくすことを考慮して、化粧料満量時に上蓋とメッシュ部材間でパフを強く押えつけてパフをつぶした状態にしておき、この状態で化粧料が減少した際には、この押えつけられていたパフが復元して、化粧料満量時と同様にパフとメッシュ部材のガタつきを防止していた。
しかしながら、パフをつぶすということは、パフの変形や毛足のつぶれを招くため、パフに与えるダメージが大きいという問題があった。
【０００９】
この発明は、このような化粧料の漏れを防止し、また適量の化粧料を容易に取出せるようにした化粧料容器を提供して、上述の問題点を解消しようとするものである。
【００１０】
【課題を解決するための手段】
このため本発明の請求項１は、容器本体に上蓋を開閉自在に取り付け、化粧料を収納できる凹部を容器本体内に形成し、この容器本体内に収納した化粧料の上面にメッシュ部材を載置し、このメッシュ部材をパフで押圧して化粧料をメッシュ部材の表面に透過させる化粧料容器において、メッシュ部材はメッシュ枠体にメッシュを張設することにより構成し、このメッシュ枠体に弾性変形可能なリップ部材を取り付け、このリップ部材で前記容器本体の内周壁をシールし、かつメッシュ部材上面に載置した前記パフをつぶすことなく、化粧料満量時から化粧料少量時に至るまで常にパフを上蓋に押し付け可能にしたことを特徴とする化粧料容器である。
【００１１】
上記した本発明に係る化粧料容器は、リップ部材を容器本体の内周壁に常時接触させることができる。したがって、化粧料容器を携帯した場合に、容器本体の内周壁とリップ部材との隙間から化粧料が漏れ出すことを防止できる。
【００１２】
以下本明細書中で、化粧料を中皿に充填して容器本体に収納するコンパクト容器等の場合には、明細書中の「容器本体」の用語を、「中皿」と読み替えるものとする。
【００１３】
メッシュの表面にパフを載せて上蓋を閉めると、リップ部材がパフを上蓋に押し付けるので、メッシュ部材がパフで固定されることとなる。したがって、従来のようにメッシュ部材がガタつかず、容器本体の内周壁とメッシュ部材との間の隙間及びシール部材とパフとの隙間の両方をリップ部材で完全にシールすることができ、化粧料の漏れ出しを防ぐことができる。また、リップ部材はパフよりも柔らかく、変形し易い形状であるため、リップ部材がパフに与えるダメージは無い。
【００１４】
また、メッシュ枠体にメッシュを緊張状態に取付けることができるので、リップ部材が容器本体の内周壁の全周に適度の圧力で均一に接触することができ、メッシュをパフで押圧すると、メッシュ部材が容器本体の内周壁に沿ってスムーズに移動でき、適量の化粧料を容易に取出すことが可能となる。
【００１５】
請求項２は、前記リップ部材として、スポンジ、不織布等の弾性体を取り付け、その弾性体外周をメッシュ枠体よりも外側に張り出させることにより、容器本体の内周壁に接触させたことを特徴とする化粧料容器である。
【００１６】
メッシュ枠体の外周周囲に設けた弾性体により、メッシュ枠体の周囲からの化粧料の漏れを防止し、かつメッシュ枠体はスムーズに容器本体内を上下動させることができる。
【００１７】
このため、メッシュ部材と上蓋との空間にパフを配置して上蓋を閉めることにより、弾性体の上辺でパフを上蓋に押し付け、同時に弾性体の上辺がメッシュ部材側に押し込まれ、弾性体の外周が容器本体の内周壁側に広げられながら接触することになる。したがって、容器本体の内周壁とリップ部材とのシール性が一層向上する。
【００１８】
請求項３は、リップ部材の内周をスリット状に開口し、その断面を扁平にして扁平環状体となし、この扁平環状体の下辺をメッシュ枠体に取り付け、その外周を容器本体の内周壁に接触させ，扁平環状体の上辺をメッシュ枠体の上方に浮かせたことを特徴とする化粧料容器である。
【００１９】
メッシュ部材と上蓋との空間にパフを配置して上蓋を閉めることにより、リップ部材の上辺でパフを上蓋に押し付け、同時にリップ部材の上辺がメッシュ部材側に押し込まれ、リップ部材の外周が容器本体の内周壁側に広げられながら接触することになる。したがって、容器本体の内周壁とリップ部材とのシール性が一層向上する。
【００２０】
請求項４は、リップ部材の断面を内周から中央部にかけて湾曲状に形成し、リップ部材の内周をメッシュ枠体に取り付け、その外周を斜め上方に延伸させて容器本体の内周壁に接触させ，リップ部材の湾曲状の中央部をメッシュ枠体の上方に浮かせたことを特徴とする化粧料容器である。
【００２１】
メッシュ部材と上蓋との空間にパフを配置して上蓋を閉めることにより、リップ部材の中央部でパフを上蓋に押し付ける。同時に、リップ部材の中央部がメッシュ部材側に押し込まれて、リップ部材の外周が容器本体の内周壁側に広げられながら接触することになる。したがって、容器本体の内周壁とリップ部材とのシール性が向上する。
【００２２】
請求項５は、リップ部材の断面を上向き凹状に形成し、その中央部に下方に突出する中央突片を備え、この中央突片をメッシュ枠体に取り付け、リップ部材の外周を容器本体の内周壁に接触させ、その内周をメッシュ枠体の上方に浮かせたことを特徴とする化粧料容器である。
【００２３】
メッシュ部材と上蓋との空間に、パフを配置して上蓋を閉めることにより、リップ部材の内周でパフを上蓋に押し付けることとなる。これにより、メッシュ部材のガタつきをなくすことができるので、容器本体の内周壁とリップ部材とのシール性がよくなる。
【００２４】
請求項６は、リップ部材の内周をメッシュ枠体に取り付け、このリップ部材の外周に容器本体の内周壁に接触するシール部材を取り付け、メッシュ枠体の上面にはパフを上蓋に押し付ける押付け部材を設置したことを特徴とする化粧料容器である。
【００２５】
メッシュ部材の上面にパフを配置して上蓋を閉めることにより、押付け部材でパフを上蓋に押し付けることができる。これにより、メッシュ部材のガタつきをなくすことができるので、容器本体の内周壁とリップ部材とのシール性が向上する。
【００２６】
【発明の実施の形態】
以下、本発明の実施の形態を図面に基づいて説明する。
図１は、本発明に係る化粧料容器の斜視図である。
【００２７】
化粧料容器１は、中皿２を収容した容器本体３と、この容器本体３にピン４（図３参照）を介して転動自在に取付けた上蓋５と、中皿２内に配置したメッシュ部材１０と、このメッシュ部材１０の上に載せて上蓋５とメッシュ部材１０との間に配置されるパフ１５とからなる。
【００２８】
容器本体３は、ピン４の反対側に係止突起３ａを備え、その上蓋５には係止突起３ａに係合する係合爪５ａ（図５参照）が備えられている。この係合爪５ａを係合突起３ａに係止することにより、上蓋５は、容器本体３にロック状態で閉じられることになる（図５参照）。
なお、符号８は上蓋５の内側に取付けられた鏡である。
【００２９】
図２は、本発明に係る化粧料容器（第１実施の形態）の縦断面図である。
メッシュ部材１０は、中皿２内の化粧料１７の表面を覆うメッシュ１１と、メッシュ１１の周囲に取り付けられた適宜形状のメッシュ枠体１２と、このメッシュ枠体１２に取り付けられたスポンジ、不織布等の弾性体であるリップ部材１３とからなる。
【００３０】
これを携帯する場合には、メッシュ部材の上面にパフを載置させ、そのパフを上蓋で押さえると、メッシュ枠の上面周囲に設けたスポンジ層がパフを上蓋側に常時圧接することになり、次いで容器本体内の化粧料が減少していった場合には、その減少状態に応じてスポンジ層が復元して、パフは常時上蓋と接するため化粧料漏れは無く、またスポンジ層は柔軟素材であるためパフにメッシュ枠の段差を押しつけてパフの変形を招来することも無い。
【００３１】
図３は、本発明に係る化粧料容器（第２実施の形態）の縦断面図である。
メッシュ部材１０は、中皿２内の化粧料１７の表面を覆うメッシュ１１と、メッシュ１１の周囲に取り付けられた適宜形状のメッシュ枠体１２と、このメッシュ枠体１２に取り付けられた弾性変形可能なリップ部材１３とからなる。ここでメッシュ枠体１２とリップ部材１３は、一般的にはリング状を呈するが、それに限らず四角形状等適宜の形状にすることも可能である。
【００３２】
なお、メッシュ枠体１２は、通常は非弾性部材で形成される。また、リップ部材１３は、内周をスリット状に開口するとともに、断面を扁平とした扁平環状体１４に形成した部材で、この扁平環状体１４の下辺１３ａをメッシュ枠体１２に取り付け、外周１３ｂを中皿２の内周壁２ａに接触させ、上辺１３ｃをメッシュ枠体１２の上方に浮かせた部材である。
【００３３】
前記の如く構成した、本発明に係る化粧料容器の作用を説明する。
図４は、本発明に係る化粧料容器（第２実施の形態）の作用説明図である。
【００３４】
まず化粧料１７を取出す場合には、パフ１５でメッシュ１１を押圧して化粧料１７をメッシュ１１の表面に透過させる。このとき、メッシュ１１をパフ１５で押圧するので、メッシュ部材１０が中皿２内の下方に移動するが、リップ部材１３を弾性変形しないメッシュ枠体１２で形成したことにより、リップ部材１３が中皿２の内周壁２ａの全周に適度の圧力で均一に接触した状態で移動でき、リップ部材１３と中皿２の内周壁２ａとの間のシール性が確保される。
【００３５】
したがって、中皿２の内周壁２ａとリップ部材１３との隙間から、化粧料１３が外に漏れ出る心配は無い。
なお、符号１７ａはメッシュ１１の表面に透過した化粧料である。
【００３６】
図５は、本発明に係る化粧料容器（第２実施の形態）の作用説明図である。
まずメッシュ１１の上にパフ１５を載せて上蓋５を閉めると、リップ部材１３の上辺１３ｃでパフ１５を上蓋５に押し付ける。同時に、この上辺１３ｃがメッシュ１１側に押し込まれて、リップ部材１３の外周１３ｂが、中皿２の内周壁２ａ側に広げられる。したがって、中皿２の内周壁２ａとリップ部材１３とのシール性は向上する。
【００３７】
また、リップ部材１３がパフ１５を上蓋５に押し付けることになるので、メッシュ部材１０がパフ１５で固定されてガタつかなくなり、リップ部材１３の中皿の内周壁２ａに対するシール性が損なわれない。
これにより、携帯時に化粧料容器１が傾斜したり反転したりしても、中皿２の内周壁２ａとリップ部材１３との隙間は、常時塞がれることになり、化粧料が外に漏れることはない。
【００３８】
本発明に係る化粧料容器の、第３実施の形態を説明する。
図６は、本発明に係る化粧料容器（第３実施の形態）の縦断面図である。
なお、図６において、第１実施の形態と同一類似部材については同一符号を付して説明を省略する。
メッシュ部材２０は、メッシュ１１とメッシュ枠体１２とリップ部材２１とからなる。
【００３９】
またリップ部材２１は、その断面を内周から中央部にかけて湾曲状に形成するとともに、外周を斜め上方に延伸した形状とし、リップ部材の内周２１ａをメッシュ枠体１２に取り付け、かつリップ部材の外周２１ｂを中皿２の内周壁２ａに接触させるとともに，リップ部材の中央部２１ｃをメッシュ枠体１２の上方に湾曲状にして浮かせている。
【００４０】
したがって、図５に示すようにパフ１５を収納して上蓋５を閉めると、第１実施の形態と同様に、リップ部材２１の中央部２１ｃでパフ１５は上蓋５に押し付けられる。同時に、リップ部材２１の中央部２１ｃがメッシュ部材１１側に押し込まれて、リップ部材２１の外周２１ｂは中皿２の内周壁２ａ側に広げられる。したがって、中皿２の内周壁２ａとリップ部材２１とのシール性がよくなる。
【００４１】
次に、本発明に係る化粧料容器の第４実施の形態を説明する。
図７は、本発明に係る化粧料容器（第４実施の形態）の縦断面図である。
なお、図７において、第１実施の形態と同一類似部材については同一符号を付して説明を省略する。
【００４２】
メッシュ部材２５は、メッシュ１１とメッシュ枠体１２とリップ部材２６とからなる。
リップ部材２６は、断面を上向き凹状に形成するとともに、その中央部に下方に突出した中央突片２６ａを備えた部材で、この中央突片２６ａをメッシュ枠体１２に取り付け、リップ部材の外周２６ｂを中皿２の内周壁２ａに接触させ、リップ部材の内周２６ｃをメッシュ枠体１２の上方に浮かせている。
【００４３】
したがって、図５に示すようにパフ１５を収納して上蓋５を閉めると、第１実施の形態と同様に、リップ部材２６の内周２６ｃでパフ１５は上蓋５に押し付けられる。これにより、メッシュ部材２５のガタつきをなくすことができ、中皿２の内周壁２ａとリップ部材２６とのシール性がよくなる。
【００４４】
次に、本発明に係る化粧料容器の第５実施の形態を説明する。
図８は、本発明に係る化粧料容器（第５実施の形態）の縦断面図である。
なお、図８において、第１実施の形態と同一類似部材については同一符号を付して説明を省略する。
【００４５】
メッシュ部材３０は、メッシュ１１とメッシュ枠体１２とリップ部材３１とからなる。
またリップ部材３１は、その内周３２ａをメッシュ枠体１２の外周に取り付けられ、リップ部材の外周３２ｂを中皿２の内周壁２ａに接触するシール部材３２と、メッシュ枠体１の上面に取り付けてパフ１５を上蓋５に押し付ける押付け部材（例えば、スポンジ）３３とからなる。
【００４６】
したがって、図５に示すようにパフ１５を収納して上蓋５を閉めると、第１実施の形態と同様に、押付け部材３３でパフ１５は上蓋５に押し付けられる。これにより、メッシュ部材３０のガタつきをなくすことができ、中皿２の内周壁２ａとリップ部材３１とのシール性がよくなる。
【００４７】
なお、前記第１〜第５実施の形態で説明したリップ部材に代えて、蛇腹状のリップ部材をメッシュ部材として使用することも可能である。これにより、前記第１〜第５実施の形態と同様に、容器本体の内周壁とリップ部材との間から化粧料が漏れ出すことを防ぐことができる。
【００４８】
【発明の効果】
よって本発明の請求項１は、リップ部材を容器本体の内周壁に常時接触させることができる。したがって、化粧料容器を携帯した場合に、容器本体の内周壁とリップ部材との隙間から化粧料が漏れ出すことを防ぐことができる。
【００４９】
メッシュの表面にパフを載せて上蓋を閉めると、リップ部材がパフを上蓋に押し付けるので、メッシュ部材がパフで固定されることとなる。したがって、従来のようにメッシュ部材がガタつかないので、容器本体の内周壁とメッシュ部材との間の隙間をリップ部材で完全にシールすることができる。これにより、化粧料の漏れ出しを防ぐことができる。
【００５０】
また、メッシュを常に緊張状態でメッシュ枠体に取付けることができるので、リップ部材が容器本体の内周壁の全周に適度の圧力で均一に接触する。したがって、化粧料を化粧料容器から取り出すために、メッシュをパフで押圧すると、メッシュ部材が容器本体の内周壁に沿ってスムーズに移動でき、適量の化粧料を容易に取出すことが可能となる。
【００５１】
請求項２は、メッシュ枠体の外周周囲に設けた弾性体により、メッシュ枠体の周囲からの化粧料の漏れを防止し、かつメッシュ枠体はスムーズに容器本体内を上下動させることができる。
【００５２】
このため、メッシュ部材と上蓋との空間にパフを配置して上蓋を閉めることにより、弾性体の上辺でパフを上蓋に押し付け、同時に弾性体の上辺がメッシュ部材側に押し込まれ、弾性体の外周が容器本体の内周壁側に広げられながら接触することになる。したがって、容器本体の内周壁とリップ部材とのシール性が一層向上する。
【００５３】
請求項３は、メッシュ部材と上蓋との空間にパフを配置して上蓋を閉めると、リップ部材の上辺でパフを上蓋に押し付けられる。同時に、リップ部材の上辺がメッシュ部材側に押し込まれて、リップ部材の外周が容器本体の内周壁側に広げられる。したがって、容器本体の内周壁とリップ部材とのシール性がさらによくなる。
【００５４】
請求項４は、メッシュ部材と上蓋との空間にパフを配置して上蓋を閉めると、リップ部材の中央部でパフを上蓋に押し付けられる。同時に、リップ部材の中央部がメッシュ部材側に押し込まれて、リップ部材の外周が容器本体の内周壁側に広げられる。したがって、容器本体の内周壁とリップ部材とのシール性がよくなる。
【００５５】
請求項５は、メッシュ部材と上蓋との空間にパフを配置して上蓋を閉めると、リップ部材の内周でパフを上蓋に押し付けられる。これにより、メッシュ部材のガタつきをなくすことができるので、容器本体の内周壁とリップ部材とのシール性がよくなる。
【００５６】
請求項６は、メッシュ部材と上蓋との空間にパフを配置して上蓋を閉めることにより、押付け部材でパフを上蓋に押し付けることができる。これにより、メッシュ部材のガタつきをなくすことができ、容器本体の内周壁とリップ部材とのシール性がよくなる。
【図面の簡単な説明】
【図１】本発明に係る化粧料容器の斜視図である。
【図２】本発明に係る化粧料容器（第１実施の形態）の縦断面図である。
【図３】本発明に係る化粧料容器（第２実施の形態）の縦断面図である。
【図４】本発明に係る化粧料容器（第２実施の形態）の作用説明図である。
【図５】本発明に係る化粧料容器（第２実施の形態）の縦断面図である。
【図６】本発明に係る化粧料容器（第３実施の形態）の縦断面図である。
【図７】本発明に係る化粧料容器（第４実施の形態）の縦断面図である。
【図８】本発明に係る化粧料容器（第５実施の形態）の縦断面図である。
【図９】従来の化粧料容器を示す縦断面図である。
【符号の説明】
１…化粧料容器
２…中皿
２ａ…中皿の内周壁
３…容器本体
４…ピン
５…上蓋
５ａ…上蓋の係合爪
８…鏡
１０，２０，２５，３０…メッシュ部材
１１…メッシュ
１２…メッシュ枠体
１３，２１，２６，３１…リップ部材
１３ａ…リップ部材の下辺
１３ｂ…リップ部材の外周
１３ｃ…リップ部材の上辺
１４…扁平環状体
１５…パフ
１７…化粧料
１７ａ…メッシュの表面に透過した化粧料
２１ａ，２６ｃ，３２ａ…リップ部材の内周
２１ｂ，２６ｂ，３２ｂ…リップ部材の外周
２１ｃ…リップ部材の中央部
２６ａ…中央突片
３２…シール部材
３３…押付け部材
【図１】
0003684007.tif 000002
【図２】
0003684007.tif 000003
【図３】
0003684007.tif 000004
【図４】
0003684007.tif 000005
【図５】
0003684007.tif 000006
【図６】
0003684007.tif 000007
【図７】
0003684007.tif 000008
【図８】
0003684007.tif 000009
【図９】
0003684007.tif 000010